(57)【特許請求の範囲】
【請求項１】
再生装置及び増幅装置からなるオーディオシステムであって、
前記増幅装置は、
前記再生装置からの音声信号を増幅する増幅手段と、
前記再生装置からの再生停止通知を受信する再生停止通知受信手段と、
前記再生停止通知受信手段により再生停止通知を受信してから所定時間経過後、増幅装置の電源を切断する制御手段と、
前記制御手段による電源の切断を行うとき、その旨を示す電源切断通知を、前記再生装置に対して送信する電源切断通知手段とを備え、
前記再生装置は、
記録媒体に記録されたデータに基づいて音声信号を再生する再生手段と、
前記再生手段による再生を停止するとき、その旨を示す再生停止通知を、前記増幅装置に対して送信する再生停止通知送信手段と、
前記増幅装置からの電源切断通知を受信する電源切断通知受信手段と、
前記電源切断通知受信手段により電源切断通知を受信した場合、前記再生装置の電源を切断する制御手段とを備えることを特徴とするオーディオシステム。
【請求項２】
前記再生装置は、
入力された音声信号に基づいて記録媒体に記録を行う記録手段と、
前記記録手段による記録を停止するとき、その旨を示す記録停止通知を前記増幅装置に対して送信する記録停止通知送信手段とを備える記録再生装置であり、
前記増幅装置は、
前記記録再生装置からの記録停止通知を受信する記録停止通知受信手段を備え、
前記制御手段は、前記記録停止通知受信手段による記録停止通知を受信してから所定時間経過後、増幅装置の電源を切断することを特徴とする請求項１に記載のオーディオシステム。
【請求項３】
請求項１又は２に記載のオーディオシステムにおける各手段としてコンピュータを機能させることを特徴とするプログラム。
【請求項４】
再生装置及び増幅装置からなるオーディオシステムにおける電源制御方法であって、
前記増幅装置において、
前記再生装置からの音声信号を増幅する増幅工程と、
前記再生装置からの再生停止通知を受信する再生停止通知受信工程と、
前記再生停止通知受信工程により再生停止通知を受信してから所定時間経過後、増幅装置の電源を切断する制御工程と、
前記制御工程により電源の切断を行うとき、その旨を示す電源切断通知を、前記再生装置に対して送信する電源切断通知工程とを備え、
前記再生装置において、
記録媒体に記録されたデータに基づいて音声信号を再生する再生工程と、
前記再生工程による再生を停止するとき、その旨を示す再生停止通知を、前記増幅装置に対して送信する再生停止通知送信工程と、
前記増幅装置からの電源切断通知を受信する電源切断通知受信工程と、
前記電源切断通知受信工程により電源切断通知を受信した場合、前記再生装置の電源を切断する制御工程とを備えることを特徴とするオーディオシステムの電源制御方法。
【発明の詳細な説明】
【技術分野】
【０００１】
本発明は、再生装置及び増幅装置を備えたオーディオシステム、該オーディシステムにおける各手段としてコンピュータを機能させるプログラム、並びに該オーディオシステムの電源制御方法に関する。
【背景技術】
【０００２】
従来、再生装置及びアンプが別筐体とされたオーディオシステムにおいて、アンプ側のキー操作が一定時間生じない場合、自動的にアンプ側をパワーオフするようにしている。
【０００３】
図５はこのような従来のオーディオシステムの外観図である。図中の５１はＣＤに記録された楽曲データに基づいた音声信号をデジタル又はアナログの音声信号として出力するＣＤプレーヤ、５２はＣＤプレーヤ５１からの音声信号を増幅するアンプ、５３はＣＤプレーヤ１からのデジタル音声信号をアンプ５２へ伝送するためのデジタルケーブル、そして５４はＣＤプレーヤ１からのアナログ音声信号をアンプ５２へ伝送するためのアナログケーブルである。ＣＤプレーヤ５１及びアンプ５２はそれぞれ、装置各部の制御や必要な情報処理をプログラムに従って行う制御部、及び該制御部に対してユーザが指示を与えるための操作キーを備える。
【０００４】
図６はアンプ５２の制御部による処理を示すフローチャートである。この処理においては、操作キーの操作が所定期間行われない場合、自動的にアンプ５２の電源を切断するようにしている。すなわち、ステップ６１においてアンプ５２の電源投入を検出すると、アンプ５２の制御部は、ステップ６２において、自動パワーオフタイマに上述の所定期間を設定する。次に、ステップ６３において、アンプ５２の操作部におけるキー操作があったかどうかを判定する。キー操作があったと判定した場合にはステップ６２へ戻り、再度上記所定期間の設定を行い、自動パワーオフタイマを初期状態に戻す。
【０００５】
ステップ６３においてキー操作がなかったと判定した場合にはステップ６４へ進み、自動パワーオフタイマをカウントダウンさせる。次に、ステップ６５において、自動パワーオフタイマがタイムアップしたかどうかを判定する。タイムアップしていないと判定した場合にはステップ６３へ戻る。タイムアップしたと判定した場合にはステップ６６へ進み、アンプ６２の電源を切断し、図６の処理を終了する。
【０００６】
図７はＣＤプレーヤ５１の制御部による処理を示すフローチャートである。ステップ７１において電源投入を検出すると、ステップ７２において、ＣＤからＴＯＣ情報を読み込んで、ディスクタイトル等の表示を行う。次に、ステップ７３において、再生キーによる再生開始の指示入力を待機する。この入力を検出すると、ステップ７４においてＣＤの再生を開始する。次に、ステップ７５及び７６において、ＣＤの再生の終了又は停止キーによる再生停止の指示の入力を待機する。再生終了又は停止キーによる入力を検出すると、ステップ７７へ進み、ＣＤの再生を停止し、図７の処理を終了する。
【０００７】
また、上述のオーディオシステムにおけるアンプ５２の電源の自動切断技術に類似するものとして、外部機器からのデータ入力状態に基づいて外部機器における電源のオン／オフ状態を判別し、外部機器と連動して同様の電源のオン／オフ状態となるように電源の制御を行うようした音声信号機器又は映像信号機器も知られている（たとえば特許文献１参照）。また、一定時間操作入力がなかった場合には電源の供給を切断するようにした電子機器も知られている（たとえば特許文献２参照）。
【０００８】
【特許文献１】特開平０９−０９１８７２号公報
【特許文献２】特開２００３−２７４２６２号公報
【発明の開示】
【発明が解決しようとする課題】
【０００９】
しかしながら、上述従来のオーディオシステムによれば、アンプ５２におけるキー操作が一定時間生じない場合には無条件でアンプ５２の電源を切断するようにしているため、ＣＤプレーヤ５１が再生を行っているときであっても、アンプ５２のキー操作を一定時間行わなければ、アンプ５２の動作が停止してしまうという問題がある。
【００１０】
また、ＣＤプレーヤ５１の再生中にはアンプ５２の電源がオフとならないようにするために、上述の音声信号機器又は映像信号機器の場合のように、ＣＤプレーヤ５１とアンプ５２とで電源のオン／オフ状態を連動するようにした場合には、ＣＤプレーヤ５１の電源がオンの場合には、再生中でない場合でも、アンプ５２の電源はオン状態のままを維持しなければならないという不都合がある。
【００１１】
本発明の目的は、このような従来技術の問題点に鑑み、オーディオシステムにおいて、増幅装置における電源オン／オフのタイミングをより適切に制御することができるようにすることにある。
【課題を解決するための手段】
【００１２】
この目的を達成するため、第１の発明に係る再生装置は、再生装置及び増幅装置からなるオーディオシステムであって、前記再生装置は、記録媒体に記録された音声データに基づいて音声信号を再生する再生手段と、前記再生手段による再生を停止するとき、その旨を示す再生停止通知を、前記増幅装置に対して送信する再生停止通知送信手段とを備え、前記増幅装置は、前記再生装置からの音声信号を増幅する増幅手段と、前記再生装置からの再生停止通知を受信する再生停止通知受信手段と、前記再生停止通知受信手段により再生停止通知を受信してから所定時間経過後、増幅装置の電源を切断する制御手段とを具備することを特徴とする。
【００１３】
ここで、記録媒体としては、たとえば、ＣＤ（コンパクトディスク）、ＭＤ（ミニディスク）、ＤＶＤ（デジタルヴァーサタイルディスク）等のディスク状のものや、半導体メモリが該当する。再生手段としては、たとえば、これらの記録媒体から音声データを読み出し、必要な信号処理を施して音声信号を出力するものが該当する。増幅装置としては、たとえば、再生装置からの音声信号を増幅してスピーカに供給するものが該当する。再生停止通知受信手段としては、たとえば、所定のプロトコルにより所定のインタフェースを介して通信を行う通信手段を有するものが該当する。
【００１４】
この構成において、再生装置は、再生手段による再生が停止されるとき、その旨を示す再生停止通知を増幅装置に対して送信する。増幅装置はこれを受信し、所定期間経過後、電源を切断する。これにより、オーディオシステムにおいて、増幅装置における電源切断のタイミングをより適切に制御することができる。
【００１５】
第２の発明に係るオーディオシステムは、第１発明において、前記再生装置は、入力された音声信号に基づいて記録媒体に記録を行う記録手段と、前記記録手段による記録を停止するとき、その旨を示す記録停止通知を前記増幅装置に対して送信する記録停止通知送信手段とを備える記録再生装置であり、前記増幅手段は、前記記録再生装置からの記録停止通知を受信する記録停止通知受信手段を備え、前記制御手段は、前記記録停止通知受信手段による記録停止通知を受信してから所定時間経過後、増幅装置の電源を切断することを特徴とする。
【００１６】
第３の発明に係る増幅装置は、第１又は第２発明において、前記増幅装置は、前記制御手段による電源の切断を行うとき、その旨を示す電源切断通知を、前記再生装置に対して送信する電源切断通知手段を備え、前記再生装置は、前記増幅装置からの電源切断通知を受信する電源切断通知受信手段と、前記電源切断通知受信手段により電源切断通知を受信した場合、前記再生装置の電源を切断する制御手段とを具備することを特徴とする。
【００１７】
第４の発明に係るプログラムは、第１〜第３のいずれかのオーディオシステムにおける各手段としてコンピュータを機能させることを特徴とする。
【００１８】
第５の発明に係るオーディオシステムの電源制御方法は、再生装置及び増幅装置からなるオーディオシステムにおける電源制御方法であって、前記再生装置において、記録媒体に記録された音声データに基づいて音声信号を再生する再生工程と、前記再生工程による再生を停止するとき、その旨を示す再生停止通知を前記増幅装置に対して送信する再生停止通知送信工程とを備え、前記増幅装置において、前記再生装置からの音声信号を増幅する増幅工程と、前記再生装置からの再生停止通知を受信する再生停止通知受信工程と、前記再生停止通知受信工程により再生停止通知を受信してから所定時間経過後、前記増幅装置の電源を切断する制御工程とを具備することを特徴とする。
【発明の効果】
【００１９】
本発明によれば、再生装置が再生停止時に再生停止通知を増幅装置に送信し、増幅装置はこの再生停止通知の受信から所定時間経過後に増幅装置の電源を切断するようにしたため、電源の切断をより適切なタイミングで行うことができる。
【発明を実施するための最良の形態】
【００２０】
図１は、本発明の一実施形態に係るオーディオシステムの外観図である。図中の１はＣＤに記録された楽曲データに基づいた音声信号をデジタル又はアナログの音声信号として出力するＣＤプレーヤ、２はＣＤプレーヤ１からの音声信号を増幅するアンプ、３はＣＤプレーヤ１からのデジタル音声信号をアンプ２へ伝送するためのデジタルケーブル、４はＣＤプレーヤ１からのアナログ音声信号をアンプ２へ伝送するためのアナログケーブル、そして５はＣＤプレーヤ１及びアンプ２間において、必要な制御用のデータを伝送するためのデータケーブルである。
【００２１】
ＣＤプレーヤ１及びアンプ２はそれぞれ、プログラムに従って各部の制御や必要な情報処理を行う制御部、及び該制御部に対してユーザが指示を与えるための操作キー等を備える。ＣＤプレーヤ１の操作キーには、再生開始を指示するための再生キー、再生停止を指示するための停止キーが含まれる。アンプ２はアンプ２への入力を選択するための入力セレクタを備える。アンプ２の操作キーには、入力セレクタを切り替えるためのセレクタキーが含まれ、アンプに入力される音声等（例えば、ＣＤ、チューナ、外部入力など）を切り替える。また、ＣＤプレーヤ１及びアンプ２はそれぞれ、双方の制御部がデータケーブル５を介して相互に装置の状態を示す制御用のデータを送受するための通信機能を備える。
【００２２】
図２は、アンプ２の制御部による処理を示すフローチャートである。この処理においては、入力先としてアンプ２のセレクタによりＣＤプレーヤ１からの入力を選択している場合に、ＣＤプレーヤ１におけるＣＤの再生及びアンプ２の操作部におけるキー操作のいずれもが所定の猶予期間にわたり連続して行われなかった場合には電源をオフ状態とする自動パワーオフを行うようにしている。
【００２３】
すなわち、ステップ１１においてアンプ２の電源投入を検出すると、アンプ２の制御部は、ステップ１２においてその旨をＣＤプレーヤ１に通知する。なお、この通知を受けると、ＣＤプレーヤ１においても電源が投入される。次に、ステップ１３において、入力セレクタの位置をＣＤプレーヤ１に通知するとともに、ステップ１４において、入力セレクタの位置がＣＤプレーヤ１となっているかどうかを判定する。
【００２４】
入力セレクタの位置がＣＤプレーヤ１であると判定した場合には、ステップ１５〜２０において、ＣＤの再生及びアンプ２の操作部におけるキー操作のいずれもが行われていない期間が、上述の猶予期間を超過するまで連続するのを待機し、該期間の経過を検出した場合には、自動パワーオフを行う。ただしこの間に、入力セレクタがＣＤプレーヤ１以外に切り換えられた場合には、ステップ１３に戻る。
【００２５】
すなわち、ステップ１５において、自動パワーオフタイマに上述の猶予期間を設定してカウントダウンを開始する。次に、ステップ１６においてＣＤの再生開始がＣＤプレーヤ１から通知されたかどうかを判定する。再生開始が通知されたと判定した場合にはステップ１５へ戻り、再度カウントダウンを初めからやり直す。再生開始が通知されなかったと判定した場合にはステップ１７へ進み、ＣＤの再生停止がＣＤプレーヤ１から通知されたかどうかを判定する。再生停止が通知されなかったと判定した場合にはステップ１５へ戻り、再度カウントダウンを初めからやり直す。再生停止が通知されたと判定した場合にはステップ１８へ進み、アンプ２の操作部におけるキー操作があったかどうかを判定する。
【００２６】
ステップ１８においてキー操作があったと判定した場合にはステップ１９へ進み、キー操作が入力セレクタの切替えかどうかを判定する。入力セレクタの切替えではないと判定した場合には、ステップ１５へ戻り、再度カウントダウンを初めからやり直す。入力セレクタの切替えであると判定した場合には、ステップ１３へ戻る。
【００２７】
ステップ１８においてキー操作がなかったと判定した場合にはステップ２０において、自動パワーオフタイマがタイムアップしたかどうかを判定する。自動パワーオフタイマのタイムアップは、ＣＤの再生が行われず、かつアンプ２の操作部におけるキー操作が行われていない期間が上述の猶予期間を超過したことを意味する。タイムアップしていないと判定した場合にはステップ１６へ戻り、上述の処理を繰り返す。
【００２８】
ステップ２０においてタイムアップしたと判定した場合にはステップ２１へ進み、ＣＤプレーヤ１に対して電源をオフ状態にする旨を通知する。そして、ステップ２２においてアンプ２の電源をオフ状態とし、処理を終了する。
【００２９】
一方、ステップ１４において、入力セレクタの位置がＣＤプレーヤ１になっていないと判定した場合には、ステップ２３〜２６において、アンプ操作部におけるキー操作が無いまま所定の猶予期間が経過するのを待機し、該期間の経過を検出した場合には、自動パワーオフを行う。
【００３０】
すなわち、まずステップ２３において、自動パワーオフタイマに上述の猶予期間を設定し、カウントダウンを開始する。次に、ステップ２４において、アンプ２の操作部におけるキー操作の有無を判定する。キー操作があったと判定した場合には、ステップ２５へ進み、キー操作が入力セレクタの切替えであるかどうかを判定する。入力セレクタの切替えではないと判定した場合には、ステップ２３へ戻り、再度カウントダウンを初めからやり直す。入力セレクタの切替えであると判定した場合には、ステップ１３へ戻る。
【００３１】
ステップ２４においてキー操作がなかったと判定した場合にはステップ２６へ進み、自動パワーオフタイマがタイムアップしたかどうかを判定する。タイムアップしていないと判定した場合にはステップ２４へ戻り、上述の処理を繰り返す。タイムアップしたと判定した場合にはステップ２２へ進み、アンプ２の電源をオフ状態として、処理を終了する。
【００３２】
図３はＣＤプレーヤ１の制御部による処理を示すフローチャートである。この処理においては、アンプ２が上述の自動パワーオフを行うことができるように、ＣＤの再生開始及び再生の停止をアンプ２に対して通知するようにしている。
【００３３】
すなわち、まずステップ３１において、アンプ２から電源を投入した旨の通知を受ける若しくはＣＤプレーヤ１の電源投入を検出すると、ステップ３２において、ＣＤからＴＯＣ情報を読み込んで、ディスクタイトル等の表示を行う。次に、ステップ３３において、ＣＤを停止状態とし、その旨をアンプ２に対して通知する。アンプ２はこの通知の有無を、図２のステップ１７において判定し、自動パワーオフタイマに関する処理を決定するようにしている。
【００３４】
次に、ステップ３４において、アンプ２からの入力セレクタがＣＤを選択中である旨の通知を待機する。この通知を受けると、ステップ３５において、再生キーによる再生開始の指示入力を待機する。この入力を検出すると、ステップ３６において、アンプ２に対して再生を開始する旨を通知する。アンプ２はこの通知の有無を図２の処理のステップ１６において判定し、自動パワーオフタイマに関する処理を決定するようにしている。
【００３５】
次に、ステップ３７においてＣＤの再生を開始する。そして、ステップ３８及び３９において、ＣＤの再生の終了又は停止キーによる再生停止の指示の入力を待機する。再生終了又は停止キーによる入力を検出すると、ステップ４０へ進み、ＣＤの再生を停止した旨の通知をアンプ２に対して行う。アンプ２はこの通知の有無を、図２のステップ１７において判定し、自動パワーオフタイマに関する処理を決定するようにしている。
【００３６】
次に、ステップ４１において、ＣＤの再生を停止する。次に、ステップ４２において、アンプ２からの電源を切断する旨の通知（図２のステップ２１）を待機する。この通知を検出すると、ステップ４３においてＣＤプレーヤ１の電源を切断する。これにより図３の処理を終了する。
【００３７】
本実施形態によれば、アンプ２の入力セレクタがＣＤを選択している場合には、ＣＤプレーヤ１が、ＣＤの再生の停止及び開始をアンプ２に対して通知（ステップ３３、３６、４０）するとともに、アンプ２はこの通知に基づき、ＣＤが再生されず、かつ操作部におけるキー入力の無い期間が所定の猶予期間を超えるまで間断なく連続した場合にのみ電源を切断するようにしたため（ステップ１５〜２２）、適切なタイミングにおいてアンプ２の電源の切断を行うことができる。
【００３８】
なお、ＣＤプレーヤ１の代わりに記録再生装置を用い、該装置におけるダビングを含む録音状態をもアンプ２に通知し、アンプ２がこの録音状態をも考慮してパワーオフのタイミングを制御するようにしてもよい。
【００３９】
図４はこのような本発明の別の実施形態に係るオーディオシステムの外観図である。同図において、図１中の符号と同一の符号は図１における場合と同様の要素を示す。図４において、６は記録再生装置であり、ＣＤの再生、及びＣＤ−ＲやＣＤ−ＲＷへの記録を行う機能を有する。記録再生装置６はプログラムに従って各部の制御や必要な情報処理を行う制御部、及び該制御部に対してユーザが指示を与えるための操作キー等を備える。この操作キーには、再生開始を指示するための再生キー、再生停止を指示するための再生停止キー、記録開始を指示するための記録キー、及び記録停止を指示するための記録停止キーが含まれる。７はアンプ２アナログ音声信号を記録再生装置６へ入力するためのアナログケーブルである。
【００４０】
記録再生装置６の制御部は、アナログケーブル７を介してアンプ２から入力される音声信号に基づいて記録を行う場合にも図３の処理と同様の処理を行う。その場合、アンプ２の制御部も図２の処理と同様の処理を行う。これらの処理において、図３及び図２の処理と異なるのは、再生に関する動作が記録に関する動作となる点である。
【００４１】
すなわち、図３のステップ３３及び４０においてアンプ２に対して行う通知は記録を停止した旨の通知となり、ステップ３６においてアンプ２に対して行う通知は記録を開始する旨の通知となり、ステップ３５及び３９において入力を待機するのはそれぞれ録音キー及び録音停止キーとなり、ステップ３７及び４１における処理はそれぞれ記録の開始及び記録の停止となる。また、図２のステップ１６及び１７において通知の有無が判定されるのは、それぞれ記録の開始通知及び記録の停止通知となる。
【００４２】
したがって、アンプ２では、入力セレクタが記録再生装置６を選択している場合、記録再生装置６が記録を行っておらず、アンプ２におけるキー操作が無い期間が所定の猶予期間を超えるまで間断なく連続した場合には、自動パワーオフが行われることになる。したがって、この場合も、より適切なタイミングで自動パワーオフを行うことができる。
われる。
【００４３】
なお、本発明は上述実施形態に限定されることなく、適宜変形して実施することができる。たとえば、上述においてはＣＤの再生及び開始をアンプ２に通知し、アンプ２はこの通知を考慮してパワーオフのタイミングを制御するようにしているが、ＣＤの再生及び開始に加え、プログラム再生の登録、タイトルの入力、セットアップ等のＣＤプレーヤ１における設定状態をＣＤプレーヤ１がアンプ２に通知するようにして、アンプ２はこの設定状態をも考慮してパワーオフのタイミングを制御するようにしてもよい。さらには、ＣＤプレーヤ１における操作キーの操作があった場合にその旨をアンプ２に通知し、アンプ２がこの通知をも考慮してパワーオフのタイミングを制御するようにしてもよい。
【図面の簡単な説明】
【００４４】
【図１】本発明の一実施形態に係るオーディオシステムの外観図である。
【図２】図１のシステムにおけるアンプの制御部による処理を示すフローチャートである。
【図３】図１のシステムにおけるＣＤプレーヤの制御部による処理を示すフローチャートである。
【図４】本発明の別の実施形態に係るオーディオシステムの外観図である。
【図５】従来のオーディオシステムの外観図である。
【図６】図５のシステムにおけるアンプの制御部による処理を示すフローチャートである。
【図７】図５のシステムにおけるＣＤプレーヤの制御部による処理を示すフローチャートである。
【符号の説明】
【００４５】
１，５１：ＣＤプレーヤ、２，５２：アンプ、３，５３：デジタルケーブル、４，５４：アナログケーブル、５：データケーブル、６：記録再生装置、７：アナログケーブル。
【図１】
0004930319.tif 000002
【図４】
0004930319.tif 000003
【図２】
0004930319.tif 000004
【図３】
0004930319.tif 000005
【図５】
0004930319.tif 000006
【図６】
0004930319.tif 000007
【図７】
0004930319.tif 000008